(57)【要約】【課題】どのカードを本体に接続したかを容易に判別することができる携帯情報機器を提供する【解決手段】カードインターフェース部１０５を通してカードへの電源供給が開始され、カードへのアクセスが可能となり、カード識別データをカードから読み出しカードの機能を識別し、この識別したカードに対して、カード識別音が設定されているか判別し、登録音が設定されている場合には、設定されている音声を再生する。登録音が設定されていない場合には、識別されたカードの種類により異なる予め決められた音声を再生する。登録音は、データ格納部１０４に音声登録時に格納されている。また、カードの識別に関しては、カードのシリアルナンバーやメモリーカード（コンパクトフラッシュ（登録商標）カード等）の場合は、固有の値をカード及び本体に格納し、カード一枚毎に固有値を設定することでカードの識別が行われる。【選択図】      図４
2004246611.tif 000002
【特許請求の範囲】
【請求項１】
カードにより機能を拡張する機能拡張手段と、前記機能拡張手段への前記カードの挿抜を検出する挿抜検出手段と、前記カードの種類を検出するカード識別手段と、前記挿抜検出手段により前記機能拡張手段へのカードの挿抜が検出されたときに、前記カード識別手段によって該カードの種類を識別し、該識別されたカードの種類により異なる報知を行う報知手段とを備えることを特徴とする携帯情報機器。
【発明の詳細な説明】
【０００１】
【発明の属する技術分野】
本発明は、ＰＤＡやデジタルカメラ等の携帯情報機器に関し、特にメモリーカードや拡張カードの接続の際に報知音を鳴らす携帯情報機器に関する。
【０００２】
【従来の技術】
従来より、メモリーカード等を接続した場合に、接続を確認する報知音を本体より鳴らすように構成されているデジタルカメラやＰＤＡ等の携帯情報機器が知られている。
【０００３】
また、装着されたメモリカードが使用できるものであるか否かを判定し、使用できるメモリカードが機器本体に装着されていないと判定されたときに、エラー表示をする音声記録再生装置が知られている（例えば、特許文献１参照）。
【０００４】
さらに、メモリカードがカード装着部に正常に装着されていないと判定されたときに所定の報知を行なう情報記録再生装置が知られている（例えば、特許文献２参照）。
【０００５】
【特許文献１】
特開平１０−０７４３８５号公報
【特許文献２】
特開平１０−３０７８９５号公報
【０００６】
【発明が解決しようとする課題】
しかしながら、上記従来の携帯情報機器では、カード接続時に、接続を確認するための報知音が鳴るだけであり、どのようなカードが接続されたかをユーザが知ることができなかった。また、電源オフ時には、接続確認音も報知されず不便であった。また、上記音声記録再生装置及び情報記録再生装置でも、どのようなカードが接続されたかをユーザが知ることができなかった。
【０００７】
本発明は、上記の問題点を解消するためになされたもので、どのカードを本体に接続したかを容易に判別することができる携帯情報機器を提供することを目的とする。
【０００８】
【課題を解決するための手段】
上記目的を達成するため、本発明の携帯情報機器は、カードにより機能を拡張する機能拡張手段と、前記機能拡張手段への前記カードの挿抜を検出する挿抜検出手段と、前記カードの種類を検出するカード識別手段と、前記挿抜検出手段により前記機能拡張手段へのカードの挿抜が検出されたときに、前記カード識別手段によって該カードの種類を識別し、該識別されたカードの種類により異なる報知を行う報知手段とを備えることを特徴とする。
【０００９】
【発明の実施の形態】
以下、本発明の実施の形態について図面を参照して説明する。
【００１０】
（第１の実施の形態）
図１は、本発明の第１の実施の形態に係る携帯情報機器のハードウェア構成を示すブロック図である。
【００１１】
同図において、携帯情報機器２０１は、該携帯情報機器２０１の動作を制御するＣＰＵ１０１を備えている。ＣＰＵ１０１には、制御プログラムを記憶しているＲＯＭ１０２、ＲＡＭ１０３、ユーザデータを格納するための格納部１０４、メモリや機能拡張を行うためのカード（例えば、コンパクトフラッシュ（登録商標）カード、ＰＣＭＣＩＡカード）を接続するためのカードインタフェース部１０５、前記カードの挿抜を検出するためのカード検出部１０６、カメラモジュール１０７、ＬＣＤコントロール部１０８、タッチパネルの制御や検出を行うタッチパネルコントロール部１１０、電源の供給制御を行うＤＣ／ＤＣ等により構成されている電源制御・供給部１１２、音声の録音再生のためのＡＤ／ＤＡ変換部１１４及びキースイッチ１１９が接続されている。
【００１２】
そして、ＬＣＤコントロール部１０８には、表示部（ＴＦＴカラー液晶）１０９が接続され、タッチパネルコントロール部１１０には、表示部１０９上に設置されたタッチパネル１１１が接続されており、タッチパネルへの入力検出が行われる。また、電源制御・供給部１１２には、電池１１３が接続されている。
【００１３】
ＡＤ／ＤＡ変換部１１４には、マイク１１６からの入力を増幅するためのアンプ１１５が接続され、更に、スピーカー１１８を駆動するためのアンプ１１７が接続されている。
【００１４】
ＣＰＵ１０１は、ＲＯＭ１０２内の制御プログラムに基づいて各種制御を行う。これらの制御の中には、カメラモジュール１０７から出力された撮影画像信号を読み込み、該撮影画像信号をＲＡＭ１０３へＤＭＡ転送を行う処理と、画像データにＪＰＥＧ等の圧縮伸長を行う処理と、各種データをファイル形式でデータ格納手段１０４へ格納する処理と、電池の充放電、各回路への電源供給を電源制御・供給部１１２へ指示する処理と、タッチパネル１１１やキーＳＷ１１９から入力された情報に従った各種アプリケーションを実行する処理とが含まれる。
【００１５】
ＲＡＭ１０３は、画像展開エリア、アプリケーションなどのワークエリア、ＶＲＡＭ、一時退避エリア等を備えている。画像展開エリアには、カメラモジュール１０７より送られてきた撮影画像（ＹＵＶデジタル信号）やデータ格納部１０４から読み出された画像データを一時的に格納するためのテンポラリバッファとして、また、画像圧縮処理、解凍処理のための画像専用ワークエリアとして使用される。ワークエリアは、各種プログラムのためのワークエリアである。ＶＲＡＭは表示部１１３へ表示する表示データを格納するために使用される。また、一時退避エリアは各種データを一時退避させるためのエリアである。
【００１６】
データ格納部１０４は、ＪＰＥＧ圧縮された撮影画像データやアプリケーションより参照される各種付属データ等をファイル形式で格納しておくためのメモリである。また、カード検出時に鳴らす音声データや登録データも格納される。本実施の形態ではフラッシュメモリで構成される。
【００１７】
カードインターフェース部１０５は、ＣＰＵ１０１にバス接続されており、各種カードが接続されると、カードへの電源の供給やＣＰＵ１０１によるカードへのデータの送受信のインタフェースとなる。
【００１８】
また、カード検出部１０６は、カードの挿抜を監視し、カードの挿抜により、ＣＰＵ１０１へ割り込み信号を出力する。また、カードが接続されているか否かを示す信号もＣＰＵ１０１に出力する。
【００１９】
カメラモジュール１０７は、レンズ郡、ＣＣＤ（光電変換素子）、タイミングジェネレータ、Ａ／Ｄ変換回路及び画像処理用ＤＳＰ（Ｄｉｇｉｔａｌ  Ｓｉｇｎａｌ  Ｐｒｏｃｅｓｓｏｒ）等から構成され、ＣＰＵ１０１からの信号により、画像データの転送やＡＥ（Ａｕｔｏ  Ｅｘｐｏｓｕｒｅ）、ホワイトバランスの調整等の動作を行う。
【００２０】
ＬＣＤコントロール部１０８は、カメラモジュール１０７から転送されたＹＵＶデジタル画像データ又はデータ格納部１０４中の画像ファイルに対してデコード処理を行ったＹＵＶデジタル画像データを受け取り、これらの画像データをＲＧＢデジタル信号へ変換し表示部１０９を駆動する。表示部１０９は、画像やメニュー等を表示するための表示器であり、本実施の形態では、液晶表示装置である。
【００２１】
タッチパネルコントロール部１１０は、タッチパネル１１１の駆動制御とペンタッチにより入力された各種情報をデジタル信号へ変換してＣＰＵ１０１へ転送するための制御を行う。
【００２２】
電源制御・供給部１１２は、複数のＤＣ／ＤＣコンバーター等からなり、ＣＰＵ１０１の指示により電池１１３の充電の制御や、各回路への電源供給ＯＮ／ＯＦＦなどの制御を行う。
【００２３】
ＡＤ／ＤＡ変換部１１４は、アンプ１１５により増幅されたマイク１１６の出力に対してＡ／Ｄ変換を行い音声をデジタルデータへ変換する。また、ＣＰＵ１０１により書き込まれる、音声デジタルデータをＡ／Ｄ変換し、アンプ１１７を通してスピーカー１１８より音声を出力する。
【００２４】
図２は、携帯情報機器２０１の外観構成図である。
【００２５】
同図において、表示部１０９の上面には、タッチパネル１１１が配置され、側面の位置にカード接続用のコネクタ２０４が配置されている。更に、別の側面にカメラモジュール２０３が配置されている。
【００２６】
符号２０２は、操作者がメニュー選択等の指示を行うために入力に使うためのペンである。符号２０５は電源スイッチであり、このスイッチの操作により携帯情報機器２０１の電源のＯＮ／ＯＦＦを操作する。また、符号２０６，２０７は、本体内のマイク及びスピーカーのための開口部である。
【００２７】
図３は、表示部１０９においてメニュー表示する際に、携帯情報機器２０１が実行する処理を示すフローチャートである。本処理は主としてＣＰＵ１０１が実行する。
【００２８】
まず、携帯情報機器２０１に電源が投入されると（ステップＳ３０１）、ＲＡＭ１０３のクリア等の各種初期設定、及び液晶電源の投入やバックライトの点灯等の処理を行う（ステップＳ３０２）。次いで、携帯情報機器２０１が有するアプリケーションを選択するためのメニューを表示部１０８に表示する（ステップＳ３０３）。
【００２９】
次に、操作者による表示メニューの選択入力を検出し、手書きタブレット１１０への入力座標とメニュー表示の対応により選択されたアプリケーションを判断する（ステップＳ３０４）。
【００３０】
ステップＳ３０４の判断の結果、カメラ機能が選択された場合には、カメラ撮影機能を実行し、撮影した画像をデータ格納部１０４へ格納して（ステップＳ３０５）、ステップＳ３０３に戻る。
【００３１】
ステップＳ３０４の判断の結果、画像表示のアプリケーションが選択された場合には、データ格納部１０４に格納されている画像データを表示部１０９に操作者の指示に従い表示して（ステップＳ３０６）、ステップＳ３０３に戻る。
【００３２】
ステップＳ３０４の判断の結果、メニューに表示されているその他のアプリケーション（カード識別音設定、機器設定、又は時間設定等）が選択された場合には、当該選択されたアプリケーションを実行して、ステップＳ３０３に戻る。
【００３３】
ステップＳ３０４の判断の結果、メニューにおいて電源ＯＦＦが選択されると、電源ＯＦＦモードに移行する（ステップＳ３０８）。即ち、必要なデータはデータ格納部１０４に格納され、各種電源ＯＦＦ処理が必要な回路の電源ＯＦＦ処理が行われた後、電源供給が不要な回路には、ＣＰＵ１０１から電源制御・供給部１１２へ指示を行い、電源供給を停止する。本実施の形態では、電源ＯＦＦモードにおいて、ＣＰＵ１０１は、スリープモード（低消費電力モード）に移行し、また、カード挿抜検出のためにカード検出部１０６には、電源の供給を続け、さらに、電源ＯＮキーにより電源ＯＮモード（通常動作）へ移行するためにキーＳＷ群１１９には、電源の供給を続ける。ここで、電源ＯＮキー２０５が押されると、ＣＰＵ１０１は、ステップＳ３０８からステップＳ３０３へ処理を移行し、以下前述した処理を続ける。
【００３４】
図４は、カードが接続された際に、携帯情報機器２０１が実行する処理を示すフローチャートである。本処理は主としてＣＰＵ１０１が実行する。
【００３５】
まず、携帯情報機器２０１の開口部２０４に、カード（メモリーカード、機能拡張カード）が接続されると、カード検出部１０６より割り込み信号がＣＰＵ１０１へアサートされる（ステップＳ４０１）。カードインターフェース部１０５を通してカードへの電源供給が開始され、カードへのアクセスが可能となり、カード識別データをカードから読み出しカードの機能を識別する（ステップＳ４０２）。
【００３６】
次いで、携帯情報機器２０１が現在電源ＯＦＦモードであるか否かを判別し（ステップＳ４０３）、電源ＯＦＦモードであれば音声を鳴らすために、音声ブロック（ＡＤ／ＤＡ１１４、ＡＭＰ１１７、スピーカー１１８）へ電源供給を開始する（ステップＳ４０４）一方、電源ＯＦＦモードでなければ、上記ステップＳ４０４の処理をスキップする。
【００３７】
次に、ステップＳ４０２で識別したカードに対して、カード識別音（カード識別音の登録については、後述する図５のフローチャートで説明する。）が設定されているか否かを判別し（ステップＳ４０５）、識別音が設定されている場合には、設定されている音声を再生する（ステップＳ４０６）。尚、本実施の形態では、識別音は、データ格納部１０４に音声登録時に格納されている。また、カードの識別に関しては、カードのシリアルナンバーやメモリーカード（コンパクトフラッシュ（登録商標）カード等）の場合は、固有の値をカード及び本体に格納し、カード一枚毎に固有値を設定することでカードの識別が行われる。
【００３８】
ステップＳ４０５の判別の結果、識別音が設定されていない場合には、識別されたカードの種類により異なる予め決められた音声を再生する（ステップＳ４０７）。
【００３９】
次に、ステップＳ４０３と同様に携帯情報機器２０１が現在電源ＯＦＦモードであるか否かを判別し（ステップＳ４０８）、電源ＯＦＦモードである場合には、省電力のため音声ブロックの電源供給を停止し（ステップＳ４０９）、本処理を終了する一方、電源ＯＦＦモードでない場合には、本処理を直接終了する。
【００４０】
図５は、カード識別音を登録する際に、携帯情報機器２０１が実行する処理を示すフローチャートである。本処理は主としてＣＰＵ１０１が実行する。
【００４１】
図３のステップＳ３０３のメニュー表示において、「カード識別音設定」のアプリケーションが選択されると、まず、カードが携帯情報機器２０１に接続されているか否かを判別し（ステップＳ５０１）、カードが携帯情報機器２０１に接続されていない場合には、本処理を終了する一方、カードが携帯情報機器２０１に接続されている場合には、設定音選択の処理を行う（ステップＳ５０２）。ステップＳ５０２では、表示部１０９に設定可能な音声を選択するＧＵＩを表示し、続けて、操作者の入力により選択された音声を設定する（ステップＳ５０３）。ステップＳ５０３では、選択された音声を設定するためメモリーカードの場合は、固有のカード識別コード及び当該識別コードに対応する設定音を特定するデータをカード及び携帯情報機器２０１本体に格納する。また、機能カードの場合には、カードが有する固有のシリアル番号により固体識別を行い、携帯情報機器２０１本体側に固有のシリアル番号と対応する設定音を特定するデータを格納する。
【００４２】
その後、ステップＳ５０３で設定された音声を確認のために鳴らした（ステップＳ５０４）後、本処理を終了する。
【００４３】
上述したように、本実施の形態によれば、カード接続時に設定された音声が報知されるので、どのカードを本体に接続したかを容易に判別することができる。また、ユーザが間違ったカードを接続した場合に、ユーザは容易に間違いに気がつくことができる。さらに、メモリーカード等の同種のカードを用途により使い分けている場合にも、カード毎に音声を設定することにより、どのカードを本体に接続したかを容易に判別することができる。
【００４４】
本実施の形態では、操作者が予め用意された音声から報知音を選択するように構成したが、図５のステップＳ５０２においてマイク１１６、アンプ１１５及びＡＤ変換器を動作させることにより音声録音を実行して録音した音声を報知音として登録することも可能である。
【００４５】
（第２の実施の形態）
第１の実施の形態では、カード接続時に設定された音声が報知されるように携帯情報機器２０１を構成したのに対し、第２の実施の形態では、カード挿抜時にメモリカードのメモリー残容量により異なる音声を報知するように携帯情報機器２０１を構成している点で異なる。
【００４６】
携帯情報機器２０１のハードウェア構成は、上記第１の実施の形態と同様であるので、その説明は省略する。
【００４７】
図６は、カードが接続された際に、携帯情報機器２０１が実行する処理を示すフローチャートである。本処理は主としてＣＰＵ１０１が実行する。
【００４８】
まず、カードが抜き差しされるとカード検出部１０６より割り込み信号がＣＰＵ１０１へアサートされる（ステップＳ６０１）。
【００４９】
次に、カードが携帯情報機器２０１から抜かれたのか又は接続されたのかをカード検出部１０６からの信号により判別し（ステップＳ６０２）、カードが携帯情報機器２０１に接続された場合、カードインターフェース部１０５を通してカードへの電源供給が開始され、カードへのアクセスが可能となり、カード識別データをカードから読み出し、カードの機能を識別する（ステップＳ６０３）。
【００５０】
次いで、携帯情報機器２０１が現在電源ＯＦＦモードであるか否かを判別し（ステップＳ６０４）、電源ＯＦＦモードである場合には、音声を鳴らすために、音声ブロック（ＡＤ／ＤＡ１１４、ＡＭＰ１１７、スピーカー１１８）へ電源供給を開始する（ステップＳ６０５）。一方、電源ＯＦＦモードである場合には、上記ステップＳ６０５の処理をスキップする。
【００５１】
次に、接続されたカードがメモリカード（例えば、コンパクトフラッシュ（登録商標）カード）であるか否かを判別し（ステップＳ６０６）、接続されたカードがメモリカードである場合には、カードアクセスによりメモリー残容量を検出し（ステップＳ６０７）、メモリー残容量に対応した音声の再生を行う（ステップＳ６０８）。本実施の形態では、メモリー残容量に応じてブザーの報知時間を変える（残容量が多いほど長くブザーを鳴らす。）が、もちろんメモリー残容量に応じて異なる音声の再生を行うようにしてもよい。
【００５２】
上記ステップＳ６０６の判別の結果、接続されたカードがメモリカードでない場合には、カードの種類（ＰＨＳ、モデムなど）により異なる予め決められた音声を再生し（ステップＳ６１５）、ステップＳ６０９に進む。
【００５３】
次いで、ステップＳ６０４と同様に携帯情報機器２０１が現在電源ＯＦＦモードであるか否かを判別し（ステップＳ６０９）、電源ＯＦＦモードである場合には、省電力のため音声ブロックの電源供給を停止して（ステップＳ６１０）、本処理を終了する一方、ステップＳ６０９の判別の結果、電源ＯＦＦモードでない場合には、ステップＳ６１０をスキップし、本処理を終了する。
【００５４】
上記ステップＳ６０２の判別の結果、カードが携帯情報機器２０１から抜かれた場合には、今まで接続されていたカードがメモリーカードであったか否かを判別する（ステップＳ６１２）。ここで、接続されていたカードの種類とメモリー残容量は、プログラムにより定期的にデータ格納部１０４に格納されているものとする。従って、ステップＳ６１２では、データ格納部１０４に格納されているデータを参照することによりカードの種類とメモリー残容量を知ることができる。
【００５５】
ステップＳ６１２の判別の結果、抜かれたカードがメモリーカードであった場合には、ステップＳ６１３、Ｓ６１４の処理で、ステップＳ６０７、Ｓ６０８の処理と同様の処理をそれぞれ行い、メモリ残容量により報知する音声を異ならせる。
【００５６】
また、ステップＳ６１２の判別の結果、抜かれたカードがメモリーカードであった場合には、上記ステップＳ６１５に処理を移行し、識別されたカードの種類（ＰＨＳ、モデムなど）により異なる予め決められた音声を再生する。
【００５７】
上述したように、本実施の形態によれば、カード挿抜時にメモリカードの残容量に応じた時間の分だけ音声を報知するので、メモリカードの残容量を聴覚で判別することができる。カード挿抜時にメモリカードの残容量に応じて異なる音声を報知する場合も同様の効果を奏する。
【００５８】
また、本実施の形態では、メモリー残容量により、報知する音声の時間を変化させたが、メモリー残容量に対して何段階かレベルを設定し、レベル毎にそれぞれ異なる音声を鳴らしても良い。
【００５９】
（第３の実施の形態）
第１の実施の形態では、カード接続時に設定された音声が報知されるように携帯情報機器２０１を構成したのに対し、第３の実施の形態では、カード接続時の音声報知をＯＮ／ＯＦＦ設定できるように携帯情報機器２０１を構成している点で異なる。
【００６０】
携帯情報機器２０１のハードウェア構成は、上記第１の実施の形態と同様であるので、その説明は省略する。
【００６１】
図７は、カードが接続された際に、携帯情報機器２０１が実行する処理を示すフローチャートである。本処理は主としてＣＰＵ１０１が実行する。
【００６２】
まず、携帯情報機器２０１の開口部２０４に、カード（メモリーカード、機能拡張カード）が接続されると、カード検出部１０６より割り込み信号がＣＰＵ１０１へアサートされる（ステップＳ７０１）。次に、後述する図８の処理により音声ＯＦＦ設定がされているか否かを判別し（ステップＳ７０２）、音声ＯＦＦ設定がされている場合は、報知音を鳴らさないので、本処理を終了する一方、音声ＯＦＦ設定がされていない場合には、Ｓ７０３からの処理を開始する。
【００６３】
ステップＳ７０３〜Ｓ７１０の処理は、上述した図４におけるステップＳ４０２〜Ｓ４０９の処理と同様であるので、その説明は省略する。
【００６４】
図８は、カード識別音を登録する際に、携帯情報機器２０１が実行する処理を示すフローチャートである。本処理は主としてＣＰＵ１０１が実行する。
【００６５】
図３のステップＳ３０３のメニュー表示において、「カード識別音設定」のアプリケーションが選択されると（ステップＳ８０１）、まず、報知音ＯＦＦ設定をするかどうかを決めるメニューを表示部１０９へ表示する（ステップＳ８０２）。
【００６６】
次に、操作者の選択をタッチパネル１１１の入力から判断し、報知音ＯＦＦが操作者により設定されたか否かを判別して（ステップＳ８０３）、報知音ＯＦＦが設定された場合には、報知音ＯＦＦをセットし（ステップＳ８０９）、本処理を終了する。
【００６７】
また、ステップＳ８０３で、報知音ＯＮが操作者により設定された場合には、報知音ＯＮをセットし（ステップＳ８０４）、ステップＳ８０５へ移行する。
【００６８】
ステップＳ８０５〜Ｓ８０８の処理は、上述した図５におけるステップＳ５０１〜Ｓ５０４の処理と同様であるので、その説明は省略する。
【００６９】
上述したように、本実施の形態によれば、カード接続時の報知音のＯＮ／ＯＦＦを操作者が設定することが可能である。
【００７０】
また、本実施の形態では、携帯情報機器２０１において、報知音のＯＮ／ＯＦＦを設定したが、報知音の選択に報知音のＯＮ／ＯＦＦの選択項目を加えることにより、カード毎に報知音のＯＮ／ＯＦＦの設定も可能である。
【００７１】
本発明は、上述した実施の形態の機能を実現するソフトウェアのプログラムをコンピュータ又は携帯情報機器２０１のＣＰＵに供給し、そのコンピュータ又はＣＰＵが該供給されたプログラムを読出して実行することによっても本発明の目的が達成されることは云うまでもない。
【００７２】
この場合、上記プログラムは、不図示の該プログラムを記録した記録媒体から直接、又はインターネット、商用ネットワーク、若しくはローカルエリアネットワーク等に接続される不図示の他のコンピュータやデータベース等からダウンロードすることにより供給される。
【００７３】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００７４】
更にまた、上述した実施の形態の機能を実現するソフトウェアのプログラムを記録した記録媒体をコンピュータに供給し、そのコンピュータが記録媒体に格納されたプログラムを読出し実行することによっても、本発明の目的が達成されることは云うまでもない。
【００７５】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【００７６】
本発明の実施態様の例を以下に列挙する。
【００７７】
〔実施態様１〕  カードにより機能を拡張する機能拡張手段と、前記機能拡張手段への前記カードの挿抜を検出する挿抜検出手段と、前記カードの種類を検出するカード識別手段と、前記挿抜検出手段により前記機能拡張手段へのカードの挿抜が検出されたときに、前記カード識別手段によって該カードの種類を識別し、該識別されたカードの種類により異なる報知を行う報知手段とを備えることを特徴とする携帯情報機器。
【００７８】
〔実施態様２〕  前記報知手段は音声の報知を行うことを特徴とする実施態様１記載の携帯情報機器。
【００７９】
〔実施態様３〕  電源オフモードである場合も、前記報知手段により報知を行うことを特徴とする実施態様１又は２記載の携帯情報機器。
【００８０】
〔実施態様４〕  前記機能拡張手段にメモリーが接続された場合に、前記メモリーの残容量に応じて前記報知手段による報知の種類を異ならせることを特徴とする実施態様１乃至３のいずれか１つに記載の携帯情報機器。
【００８１】
〔実施態様５〕  前記報知手段により報知する音声を設定する設定手段を備えることを特徴とする実施態様１乃至４のいずれか１つに記載の携帯情報機器。
【００８２】
〔実施態様６〕  前記設定手段は前記報知手段による報知のオン・オフを設定することを特徴とする実施態様５記載の携帯情報機器。
【００８３】
〔実施態様７〕  カードにより機能を拡張する機能拡張手段を備える携帯情報機器の制御方法において、前記機能拡張手段への前記カードの挿抜を検出する挿抜検出工程と、前記カードの種類を検出するカード識別工程と、前記挿抜検出工程により前記機能拡張手段へのカードの挿抜が検出されたときに、前記カード識別工程によって該カードの種類を識別し、該識別されたカードの種類により異なる報知を行う報知工程とを備えることを特徴とする携帯情報機器の制御方法。
【００８４】
〔実施態様８〕  カードにより機能を拡張する機能拡張手段を備える携帯情報機器で使用される携帯情報機器用プログラムにおいて、前記機能拡張手段への前記カードの挿抜を検出する挿抜検出ステップと、前記カードの種類を検出するカード識別ステップと、前記挿抜検出ステップにより前記機能拡張手段へのカードの挿抜が検出されたときに、前記カード識別ステップによって該カードの種類を識別し、該識別されたカードの種類により異なる報知を行う報知ステップとを前記携帯情報機器に実行させることを特徴とする携帯情報機器用プログラム。
【００８５】
〔実施態様９〕  前記実施態様８に記載の携帯情報機器用プログラムを格納することを特徴とする記憶媒体。
【００８６】
【発明の効果】
以上説明したように、本発明によれば、カード接続時に設定された音声が報知されるので、どのカードを本体に接続したかを容易に判別することができる。また、ユーザが間違ったカードを接続した場合に、ユーザは容易に間違いに気がつくことができる。さらに、メモリーカード等の同種のカードを用途により使い分けている場合にも、カード毎に音声を設定することにより、どのカードを本体に接続したかを容易に判別することができる。
【００８７】
電源オフ時においても、カード接続時に設定された音声が報知されるので、ユーザが間違ったカードを接続した場合に、容易に間違いに気がつくことができる。
【図面の簡単な説明】
【図１】本発明の第１の実施の形態に係る携帯情報機器のハードウェア構成を示すブロック図である。
【図２】携帯情報機器２０１の外観構成図である。
【図３】表示部１０９においてメニュー表示する際に、携帯情報機器２０１が実行する処理を示すフローチャートである。
【図４】カードが接続された際に、携帯情報機器２０１が実行する処理を示すフローチャートである。
【図５】カード識別音を登録する際に、携帯情報機器２０１が実行する処理を示すフローチャートである。
【図６】カードが接続された際に、携帯情報機器２０１が実行する処理を示すフローチャートである。
【図７】カードが接続された際に、携帯情報機器２０１が実行する処理を示すフローチャートである。
【図８】カード識別音を登録する際に、携帯情報機器２０１が実行する処理を示すフローチャートである。
【符号の説明】
１０１  ＣＰＵ
１０２  ＲＯＭ
１０３  ＲＡＭ
１０４  データ格納部
１０５  カードインターフェース部
１０６  カード検出部
１０９  表示部
１１８  スピーカー
【図１】
2004246611.tif 000003
【図２】
2004246611.tif 000004
【図３】
2004246611.tif 000005
【図４】
2004246611.tif 000006
【図５】
2004246611.tif 000007
【図６】
2004246611.tif 000008
【図７】
2004246611.tif 000009
【図８】
2004246611.tif 000010